(57)【要約】【課題】  確実に旋回流を生成させることができる電気掃除機の集塵装置を提案すること。【解決手段】  電気掃除機の集塵装置の集塵ケース１は、上端に開口３を有する概略円筒形状のケース本体４と、このケース本体の上端近傍に形成された吸気口６と、この吸気口６に隣接する傾斜面９とを有する。ケース本体の開口３は、弦部３１及び円弧部３２からなり、この弦部３１に連なる平面部４１が、ケース本体４の底側に延在する。平面部４１は、ケース本体４の底側に向かうにつれて幅が減じて、弦部３１に対して傾斜した斜辺を有し、この斜辺と、ケース本体４の側面との間に、傾斜面９を形成している。吸気口６からケース本体４内に吸入された吸い込み空気が、ケース本体４の側面に沿って略一周旋回し、傾斜面９によってケース本体４の底側向きの流れの成分が与えられることによって、ケース本体４内の吸気口６から底に亘るまでの範囲に、旋回流が生成される。【選択図】図２
2006167292.tif 000002
【特許請求の範囲】
【請求項１】
吸い込み空気を吸入する吸気口と、
上記吸気口に連通すると共に、上記吸い込み空気から旋回流によって分離された塵を集める集塵ケースと、
上記吸気口から吸入された吸い込み空気に、上記集塵ケースの底側向きの流れの成分を与えるガイド部と
を備えることを特徴とする電気掃除機の集塵装置。
【請求項２】
請求項１に記載の電気掃除機の集塵装置において、
上記ガイド部は、上記吸気口に隣接する位置であって、この吸気口から吸入された吸い込み空気が、上記集塵装置の内側面に沿って略一周流れた位置に形成されていることを特徴とする電気掃除機の集塵装置。
【請求項３】
請求項２に記載の電気掃除機の集塵装置において、
上記ガイド部は、上記集塵ケースの底側に向かうにつれて、上記吸込口に近づくように形成された傾斜面であることを特徴とする電気掃除機の集塵装置。
【請求項４】
請求項１に記載の電気掃除機の集塵装置において、
上記集塵ケースに、上記吸入口及びガイド部が設けられていることを特徴とする電気掃除機の集塵装置。
【請求項５】
請求項１に記載の集塵装置を備えた電気掃除機。
【発明の詳細な説明】
【技術分野】
【０００１】
本発明は、電気掃除機の集塵装置に関し、詳しくは、吸い込み空気の旋回流によって吸い込み空気から塵を分離して集める集塵装置に関する。
【背景技術】
【０００２】
従来より、所謂サイクロン型の電気掃除機では、吸込口体から塵と共に吸い込んだ吸い込み空気を集塵装置に導いて、この集塵装置内で吸い込み空気の旋回流を生成して、この吸い込み空気から上記塵を分離している（例えば特開２００４−２４９０１０号公報：特許文献１参照）。
【０００３】
上記集塵装置は、円筒形状を有して上端が開口した集塵ケースと、この集塵ケースの開口を塞ぐように集塵ケースに連結されるフィルタケースと、このフィルタケースの底面から集塵ケースの底に向かって突出する内筒を備える。上記集塵ケースの開口近傍の側面には、吸い込み空気を吸入する吸気口が設けられている。
【０００４】
上記吸気口から集塵ケース内に導かれた吸い込み空気は、旋回しながら集塵ケースの底に向かって流れる下向き旋回流になる。この下向き旋回流によって、吸い込み空気に含まれる塵に、上記集塵ケースの径方向外側に向かう遠心力がかけられて、上記吸い込み空気から塵が分離される。この分離された塵は、上記下向き旋回流によって、上記集塵ケースの底に集められる。この集塵ケースの底に達した下向き旋回流は、流れ方向を集塵ケースの開口側に転じて、上記下向き旋回流の内側を旋回して流れる上向き旋回流となる。この上向き旋回流は、上記内筒からフィルタケースに導かれ、このフィルタケース内のフィルタで微細な塵が濾過されて清浄な空気となって、このフィルタケースに設けられた排出口から集塵装置の外に排出される。
【０００５】
しかしながら、上記従来の電気掃除機の集塵装置は、上記集塵ケースの形状によっては、上記集塵ケース内の旋回流の生成が不十分となって、吸い込み空気からの塵の分離が不十分となる場合がある。詳しくは、上記集塵ケース内において、上記吸気口の近傍には旋回流が生じるものの、上記吸気口よりも集塵ケースの底側に旋回流が生じなくて、吸い込み空気から塵が殆ど分離されない場合があるという問題がある。
【特許文献１】特開２００４−２４９０１０号公報
【発明の開示】
【発明が解決しようとする課題】
【０００６】
そこで、本発明の課題は、確実に旋回流を生成させることができる電気掃除機の集塵装置を提案することにある。
【課題を解決するための手段】
【０００７】
上記課題を解決するため、本発明の電気掃除機の集塵装置は、
吸い込み空気を吸入する吸気口と、
上記吸気口に連通すると共に、上記吸い込み空気から旋回流によって分離された塵を集める集塵ケースと、
上記吸気口から吸入された吸い込み空気に、上記集塵ケースの底側向きの流れの成分を与えるガイド部と
を備えることを特徴としている。
【０００８】
上記構成によれば、上記吸気口から吸入された吸い込み空気は、上記ガイド部によって、上記集塵ケースの底側向きの流れの成分が与えられる。これにより、上記集塵装置内において、上記吸気口近傍のみでなく、上記吸気口近傍から集塵ケースの底に至るまで、上記吸い込み空気の旋回流が生成される。その結果、上記吸い込み空気から塵を効果的に分離できる。
【０００９】
なお、上記ガイド部は、上記集塵装置の内側面に形成されたフィンで形成してもよく、また、螺旋状に形成された上記集塵装置の内側面であってもよい。
【００１０】
また、上記ガイド部は１つでもよく、あるいは、複数個形成されていてもよい。
【００１１】
一実施形態の電気掃除機の集塵装置は、上記ガイド部は、上記吸気口に隣接する位置であって、この吸気口から吸入された吸い込み空気が、上記集塵装置の内側面に沿って略一周流れた位置に形成されている。
【００１２】
上記実施形態によれば、上記吸気口から吸入された吸い込み空気は、上記集塵装置の内側面に沿って略一周流れて、上記ガイド部によって上記集塵ケースの底側向きの流れの成分が与えられる。したがって、上記集塵装置の内側に、適切な下向きの流れの成分を有する旋回流が生成されて、上記吸込口から集塵ケースの底に至る旋回流が効果的に生成される。
【００１３】
一実施形態の電気掃除機の集塵装置は、上記ガイド部は、上記集塵ケースの底側に向かうにつれて、上記吸込口に近づくように形成された傾斜面である。
【００１４】
上記実施形態によれば、上記傾斜面によって、上記吸入口から吸入されて上記集塵装置の内側面に沿って略一周流れた吸い込み空気に、効果的に上記集塵ケースの底側向きの流れの成分が与えられる。
【００１５】
一実施形態の電気掃除機の集塵装置は、上記集塵ケースに、上記吸入口及びガイド部が設けられている。
【００１６】
上記実施形態によれば、上記集塵ケースに上記吸込口及びガイド部が設けられているので、上記集塵ケース内に、上記吸込口から底に至る旋回流を、効果的に生成することができる。また、電気掃除機の集塵装置をコンパクトにできる。
【００１７】
一実施形態の電気掃除機は、上記集塵装置を備える。
【００１８】
上記実施形態によれば、上記集塵装置内において、上記吸気口近傍から集塵ケースの底に至るまで吸い込み空気の旋回流を生成できるので、上記吸い込み空気から塵を効果的に分離できて、塵の収集効率が比較的良好な電気掃除機が得られる。
【発明の効果】
【００１９】
以上のように、本発明の電気掃除機の集塵装置は、吸気口から吸入された吸い込み空気が、ガイド部によって、上記集塵ケースの底側向きの流れの成分が与えられるので、上記集塵装置内において、上記吸気口近傍のみでなく、上記吸気口近傍から集塵ケースの底に至るまで、上記吸い込み空気の旋回流が生成されるから、上記吸い込み空気から塵を効果的に分離できる。
【発明を実施するための最良の形態】
【００２０】
以下、本発明を図示の実施の形態により詳細に説明する。
【００２１】
図１は、本発明の実施形態の電気掃除機が備える集塵装置の集塵ケースを示す斜視図であり、図２は、上記集塵ケースの軸方向断面を底側から見た断面斜視図であり、図３は、上記集塵ケースの軸方向断面を吸気口側から見た断面斜視図である。図４は、上記集塵ケースの吸気口における径方向断面図である。
【００２２】
この集塵ケース１は、上端に開口３を有する概略円筒形状のケース本体４と、このケース本体４の上端近傍に形成された概略正方形状の吸気口６と、この吸気口６に対して周方向に隣接して形成された傾斜面９とを有する。
【００２３】
上記ケース本体４の外周面には、このケース本体４の径方向断面において接線方向に突出する突出部７が形成されており、この突出部７の先端に、上記吸気口６が形成されている。上記突出部７は、上記吸気口６側から見て略正方形状の断面を有し、上記ケース本体４の中心軸から遠い側の側壁が、上記ケース本体４の側面の接線を含む平面となるように形成されて、上記ケース本体４の側面と滑らかに連なっている。一方、上記ケース本体４の中心軸に近い側の側壁は、上記ケース本体４の内側面に形成された後述する平面部４１に連なっている。
【００２４】
上記ケース本体４の開口３は、弦部３１及び円弧部３２からなり、上記開口３の弦部３１に連なってケース本体４の底側に延びる平面部４１が、上記ケース本体４の内側に形成されている。この平面部４１は、上記弦部３１から上記突出部７の上端に至るまでの間は等幅に形成されている一方、上記突出部７の上端から下端に至るまでの間は、上記ケース本体４の底側に向かうにつれて幅が減少するように形成されて、上記弦部３１に対して傾斜した斜辺を有する。この平面部４１の斜辺と、上記ケース本体４の側面との間に、ガイド部としての傾斜面９が形成されている。この傾斜面９は、上記平面部４１と略直角をなす平面に形成されていると共に、上記ケース本体４の底側に向かうにつれて、上記突出部７及び吸気口６に対して近くなるように形成されている。
【００２５】
上記ケース本体４の開口３の周りには、フランジ状の連結部４３が形成されており、この連結部４３を介して、後述するフィルタケースに連結されるようになっている。
【００２６】
上記ケース本体４は、内径が約８ｃｍ、かつ、深さが約１２ｃｍの寸法を有する。
【００２７】
図５は、上記集塵ケースが取り付けられた電気掃除機を示す断面図である。この電気掃除機は、電気掃除機本体５１と、この電気掃除本体５１に接続されたホース５２と、このホース５２に連なると共に把手５４を有する手元パイプ５５と、この手元パイプ５５に接続されて内側に通風路が形成された延長管５７とを備える。この延長管５７の先端部分が、上記電気掃除機本体５１の上部に連結されており、この延長管５７と、上記電気掃除機本体５１内に形成された本体通風路５９の一端とが連通している。上記本体通風路５９の他端は、電気掃除機本体５１の底面に形成された開口６１に連通している。また、上記電気掃除本体５１内に、吸い込み空気の流れを生成する電動送風機６３と、電源コードを巻き取るコードリール６５を内蔵している。
【００２８】
上記電気掃除機本体５１の側面には、上記延長管５７の連結部の近傍から上記電動送風機６３の近傍に亘る範囲に、サイクロン集塵装置７１が取り付けられる集塵装置取付部６７が形成されている。この集塵装置取付部６７には、上記ホース５２に連通するホース連通路が開口していると共に、上記電動送風機６３の吸い込み側に連通する吸い込み通路が開口している。また、上記集塵装置取付部６７には、下端に係合溝が形成されていると共に、上記延長管５７の連結部近傍に、バネで付勢されて操作者の操作によって揺動可能に形成された係合爪が設けられている。
【００２９】
上記サイクロン集塵装置７１は、上記集塵ケース１と、この集塵ケースの開口３に連結されたフィルタケース７３と、このフィルタケース７３の下端から上記集塵ケース１内に突出する内筒７５とで概略構成されている。
【００３０】
上記集塵ケースの開口３には、上記内筒７５が貫通する貫通孔を中央に有する環状の蓋体７７が連結されており、この蓋体７７を挟むように、上記集塵ケースの開口３周りの連結部４３に、上記フィルタケース７３が連結されている。
【００３１】
上記内筒７５は、上記フィルタケース７３の内部の上端から、上記蓋体７７の貫通孔を貫通して上記集塵ケース１内の突出端まで延在する筒状体で形成されており、上記フィルタケース７３内の部分と、上記集塵ケース１内の突出部分との両方の側面に、開口が設けられている。
【００３２】
上記フィルタケース７３の内部には、上記内筒７５の外周面を囲むように、筒状のフィルタ１８が収容されている。また、上記フィルタケース７３の側面には、このサイクロン集塵装置７１を通過した吸い込み空気を排出する排出口が設けられている。
【００３３】
このサイクロン集塵装置７１には、上記集塵ケースのケース本体４の下端に下部係合爪が設けられていると共に、上記フィルタケース７３の上端に、上部係合溝が形成されている。
【００３４】
上記サイクロン集塵装置７１の下部係合爪を、上記集塵装置取付部の係合溝に係合すると共に、上記サイクロン集塵装置７１の上部係合溝に、上記集塵装置取付部の係合爪を係合させることにより、上記サイクロン集塵装置７１を、上記電気掃除機本体５１の集塵装置取付部に取り付けるようになっている。上記サイクロン集塵装置７１が電気掃除機本体５１の集塵装置取付部に取り付けられると、この集塵装置取付部に開口するホース連通路が集塵ケース１の吸気口６に連結されると共に、上記集塵装置取付部に開口する吸い込み通路が上記フィルタケース７３の排出口に連結されるようになっている。
【００３５】
また、上記電気掃除機５１の係合爪が操作者によって操作されることにより、この係合爪のサイクロン集塵装置７１への係合が解かれて、このサイクロン集塵装置７１を電気掃除機本体５１から取り外し可能になっている。これにより、上記サイクロン集塵装置７１のケース本体４内が塵で満たされたときに、上記サイクロン集塵装置７１を取り外して、上記ケース本体４内の塵を廃棄するようになっている。
【００３６】
この電気掃除機は、走行車輪を有する図示しない吸込口体が、上記電気掃除機本体の開口６１に接続されて、上記手元パイプの把手５４を把持する操作者によって電気掃除機本体５１が後押しされて動かされるアップライト型の掃除機である。
【００３７】
上記構成の電気掃除機は、以下のように動作する。
【００３８】
まず、図５に示すように、延長管５７が電気掃除機本体５１に接続された状態で、この電気掃除機本体５１の底面の開口６１に吸込口体を接続する。この吸込口体の吸込口が床面に対向した状態で、把手５４が操作者に把持され、電源スイッチがオンされると、この電気掃除機本体１の電動送風機６３が起動する。これにより、上記吸込口体の吸込口から、床面の塵を含んだ吸い込み空気が、上記吸込口体、本体通風路５９、延長管５７、手元パイプ５５及びホース５２を順次流れて、上記集塵装置取付部に開口するホース連通路から、集塵ケース１の吸気口６に流入する。
【００３９】
この吸気口６に流入した吸い込み空気は、上記突出部７を経て集塵ケースのケース本体４内に流入し、このケース本体４の内周面に沿って、このケース本体４の内側を略一周旋回する。この略一周旋回した吸い込み空気は、上記吸気口６に隣接して形成された傾斜面９によって、上記ケース本体４の底側に向かう流れの成分が与えられる。これにより、上記吸気口６から吸い込まれてケース本体４内を略一周旋回した吸い込み空気は、上記吸気口６よりも下方（ケース本体４の底側方向）に流れつつ、上記ケース本体４の周方向に旋回する下向き旋回流となる。この下向き旋回流によって、吸い込み空気に含まれる塵に、上記ケース本体４の径方向外側に向かう遠心力がかけられて、上記吸い込み空気から塵が分離される。この分離された塵は、上記下向き旋回流によって、上記ケース本体４の底に集められる。このケース本体４の底に達した下向き旋回流は、流れ方向をケース本体の開口３側に転じて、上記下向き旋回流の内側を旋回して流れる上向き旋回流となる。この上向き旋回流は、上記ケース本体４内に突出する上記内筒７５の側面の開口から、この内筒７５内に導かれる。この内筒７５内の吸い込み空気は、上記フィルタケース７３内の側面の開口を介して、上記内筒７５からフィルタケース７３へと流出し、この内筒７５の外周に位置するフィルタ１８を通過する。このフィルタ１８で微細な塵が除去されて清浄となった空気は、上記フィルタケース７３の排出口からサイクロン集塵装置７１の外部に排出される。そして、上記清浄な空気は、上記電気掃除機本体の吸い込み通路を経て、電動送風機６３に吸引される。最後に、上記電動送風機６３から排気路を経て、電気掃除機本体５１の外に排気される。
【００４０】
一方、家具と壁との間のような狭所の掃除や、壁面や天井のような室の上部の掃除を行う場合、上記延長管５７の先端部分が、操作者によって電気掃除機本体５１から引き抜かれる。上記延長管５７の先端部分には、概略軸方向に向かって植毛されたブラシを有する筒状の補助吸込口体が嵌合しており、上記延長管５７が電気掃除機本体５１から引き抜かれることによって、上記補助吸込口体が延長管５７の先端にロックされる。この延長管２７の先端に固定された補助吸込口体を、家具と壁との隙間等に挿入し、この隙間の床面等の掃除を行う。
【００４１】
この場合、上記補助吸込口体から塵と共に流入した吸い込み空気は、延長管５７、手元パイプ５５及びホース５２を順次流れて、上記集塵装置取付部に開口するホース連通路から、集塵ケース１の吸気口６に流入する。そして、上記吸込口体から塵が吸入された場合と同様に、上記サイクロン集塵装置７１内で適切に旋回流が生成されて、上記吸い込み空気から塵が分離される。
【００４２】
本実施形態の電気掃除機は、サイクロン集塵装置７１の集塵ケース１のケース本体４内に、ガイド部としての傾斜面９が吸入口６に隣接して形成されているので、このケース本体４内において、上記吸入口６から底に至るまでの略全範囲に亘って旋回流を生成することができる。その結果、上記吸い込み空気に含まれる塵を効果的に分離することができる。
【００４３】
なお、上記実施形態において、ガイド部としての傾斜面９は、上記吸気口６に対して周方向に隣接する位置に、上記ケース本体４の平面部４１の斜辺と、上記ケース本体４の側面との間に形成されたが、例えばケース本体４の側面から内側に突出するフィンや、螺旋状に形成されたケース本体４の内側面でガイド部を構成してもよい。
【００４４】
また、上記集塵ケース１のケース本体４に、吸気口６及びガイド部としての傾斜面９を設けたが、吸込口及びガイド部は、集塵ケース１以外の例えばフィルタケース７３に設けても良い。或いは、ケース本体４及びフィルタケース７３以外の集塵装置を構成する部品に、吸込口及びガイド部を設けてもよい。要は、集塵装置に、吸い込み空気を吸入する吸気口と、この吸気口からの吸い込み空気に、集塵ケースの底側向きの流れの成分を与えるガイド部とを備えていれば、上記吸気口及びガイド部の配置位置はどこでもよい。
【００４５】
また、上記電気掃除機は、操作者によって手元パイプの把手５４が把持されて、この手元パイプ５５に連結された延長管５７を介して掃除機本体５１が後押しされるアップライト型であったが、手元パイプに接続されたホースを介して掃除機本体が牽引されるキャニスタ型であってもよい。
【図面の簡単な説明】
【００４６】
【図１】本発明の実施形態の電気掃除機が備える集塵装置の集塵ケースを示す斜視図である。
【図２】集塵ケースの軸方向断面を底側から見た断面斜視図である。
【図３】集塵ケースの軸方向断面を吸気口側から見た断面斜視図である。
【図４】集塵ケースの吸気口における径方向断面図である。
【図５】電気掃除機の断面図である。
【符号の説明】
【００４７】
１  集塵ケース
３  ケース本体の開口
４  ケース本体
６  吸気口
９  傾斜面
【図１】
2006167292.tif 000003
【図２】
2006167292.tif 000004
【図３】
2006167292.tif 000005
【図４】
2006167292.tif 000006
【図５】
2006167292.tif 000007